(57)【特許請求の範囲】
【請求項１】
液状化粧料を収容する収容部と、
両端が開口された筒状を成し、前記収容部から押し出され後端側の開口から進入してくる前記液状化粧料を先端側の開口に誘導する誘導路を備えた誘導部と、
両端が開口された筒状を成し、筒孔内に前記誘導部が配置された先筒部と、
前記液状化粧料を被塗布部に塗布するための塗布体と、を具備し、
前記塗布体は、
前記先筒部の先端側の開口を外側から跨ぎ当該先筒部の開口に沿って複数個が並設されたアーチ形状の第１アーチ型塗布部と、
前記誘導部の先端側の開口を外側から跨ぎ当該誘導部の開口に沿って複数個が並設されると共に、前記先筒部の先端側の開口を通して外部へ突出するアーチ形状の第２アーチ型塗布部と、を有し、
隣接する前記第１アーチ型塗布部同士の間に、１個の前記第２アーチ型塗布部が進入し、前記第１アーチ型塗布部と前記第２アーチ型塗布部が交互に並設されていることを特徴とする化粧料塗布具。
【請求項２】
前記第１アーチ型塗布部を有する先筒部と前記第２アーチ型塗布部を有する誘導部は、互いに異質材より構成されていることを特徴とする請求項１記載の化粧料塗布具。
【請求項３】
前記先筒部と前記誘導部は、別々の部品であり、
前記先筒部内に前記誘導部が装着されていることを特徴とする請求項１又は２記載の化粧料塗布具。
【請求項４】
前記先筒部と前記誘導部は、２色成形により一体成形されていることを特徴とする請求項１又は２記載の化粧料塗布具。
【発明の詳細な説明】
【技術分野】
【０００１】
本発明は、化粧料を塗布するための化粧料塗布具に関する。
【背景技術】
【０００２】
従来、化粧料塗布具の一種であるマスカラ塗布具として、マスカラを供給する中空ロッドと、この中空ロッドに連結されてマスカラが供給されるヘッドと、を具備し、ヘッドは、中空ロッドに略同軸に接続される円筒状要素と、この円筒状要素の周面に連設されて膨出し中空ロッドに対して偏心して位置する中空の弓形部分と、を備え、弓形部分には、その膨出部の先端から膨出部の底部近くまで切り込み当該弓形部分をスライスする形状のスリットが、当該弓形部分の軸心に沿って多数離間して並設されることにより、隣り合い塗布部として機能する弓形部分同士の間に、弓形部分の内外を連通する空間が形成され、使用時には、マスカラが、中空ロッド、円筒状要素を経由してから、弓形部分の各スリットから分配されて流出し、この流出したマスカラを弓形部分により睫毛に塗布することができるマスカラ塗布具が知られている（例えば、特許文献１参照）。
【先行技術文献】
【特許文献】
【０００３】
【特許文献１】特表２００１−５０２５７３号公報
【発明の概要】
【発明が解決しようとする課題】
【０００４】
しかしながら、上記マスカラ塗布具にあっては、スリットを介して隣り合う塗布部としての弓形部分同士の間隔（以下、塗布部のピッチという）を、製造上の問題から、所定ピッチより小さくする（現在の最小ピッチより小さくする）ことができず、改善が求められている。
【０００５】
そこで、本発明は、マスカラ塗布具を始めとした化粧料塗布具において塗布部のピッチを今以上に小さくすることができる化粧料塗布具を提供することを目的としている。
【課題を解決するための手段】
【０００６】
本発明による化粧料塗布具は、液状化粧料を収容する収容部と、両端が開口された筒状を成し、収容部から押し出され後端側の開口から進入してくる液状化粧料を先端側の開口に誘導する誘導路を備えた誘導部と、両端が開口された筒状を成し、筒孔内に誘導部が配置された先筒部と、液状化粧料を被塗布部に塗布するための塗布体と、を具備し、塗布体は、先筒部の先端側の開口を外側から跨ぎ当該先筒部の開口に沿って複数個が並設されたアーチ形状の第１アーチ型塗布部と、誘導部の先端側の開口を外側から跨ぎ当該誘導部の開口に沿って複数個が並設されると共に、先筒部の先端側の開口を通して外部へ突出するアーチ形状の第２アーチ型塗布部と、を有し、隣接する第１アーチ型塗布部同士の間に、１個の第２アーチ型塗布部が進入し、第１アーチ型塗布部と第２アーチ型塗布部が交互に並設されていることを特徴としている。
【０００７】
このような化粧料塗布具によれば、先筒部の筒孔内に、収容部から押し出され後端側の開口から進入してくる液状化粧料を先端側の開口に誘導する誘導路を備えた誘導部が配置され、液状化粧料を被塗布部に塗布するための塗布体が、先筒部の先端側の開口を外側から跨ぎ当該先筒部の開口に沿って複数個が並設されたアーチ形状の第１アーチ型塗布部と、誘導部の先端側の開口を外側から跨ぎ当該誘導部の開口に沿って複数個が並設されると共に、先筒部の先端側の開口を通して外部へ突出するアーチ形状の第２アーチ型塗布部とされ、隣接する第１アーチ型塗布部同士の間に、１個の第２アーチ型塗布部が進入し、これらの第１アーチ型塗布部と第２アーチ型塗布部が交互に並設されるため、例えば最小ピッチで形成された第1アーチ型塗布部同士の間に、例えば最小ピッチで形成された第２アーチ型塗布部同士の一方が位置することになり（他方は隣の第1アーチ型塗布部同士の間に位置することになり）、隣接する第１アーチ型塗布部と第２アーチ型塗布部のピッチを今以上に小さくすることができる。
【０００８】
ここで、第1アーチ型塗布部を有する先筒部と第２アーチ型塗布部を有する誘導部は、互いに異質材より構成されているのが好ましい。このような構成を採用した場合、例えば、液状化粧料をマスカラとし、一方を硬質材、他方を軟質材として、その塗布部を交互に並設すると、睫毛の密着感を高めることができる。
【０００９】
また、上記作用を効果的に奏する具体的な構成としては、先筒部と誘導部は、別々の部品であり、先筒部内に誘導部が装着される構成が挙げられる。
【００１０】
また、先筒部と誘導部は、２色成形により一体成形されていても良い。
【発明の効果】
【００１１】
このように本発明によれば、マスカラ塗布具を始めとした化粧料塗布具において塗布部のピッチを今以上に小さくすることができる化粧料塗布具を提供できる。
【図面の簡単な説明】
【００１２】
【図１】本発明の一実施形態に係る化粧料塗布具を示す外観斜視図である。
【図２】図１に示す化粧料塗布具の正面図である。
【図３】図２に示す化粧料塗布具の先端側の縦断面図である。
【図４】図３中の先筒部及び誘導部を抽出した斜視図である。
【図５】図４の分解斜視図である。
【図６】図５中の先筒部の塗布体を詳細に示す斜視図である。
【発明を実施するための形態】
【００１３】
以下、本発明による化粧料塗布具の好適な実施形態について図１〜図６を参照しながら説明する。図１及び図２は、化粧料塗布具の外観を示す各図、図３は、化粧料塗布具の先端側の縦断面図、図４〜図６は、塗布体を示す各図であり、本実施形態の化粧料塗布具は、使用者により液状化粧料を被塗布部に塗布するときに用いられるものである。なお、ここでは、特に好適であるとして、液状化粧料を睫毛に塗布するマスカラとし、化粧料塗布具をマスカラ塗布具として説明していくが、勿論、他の液状化粧料を用いた化粧料塗布具とすることも可能である。
【００１４】
図１〜図３に示すように、マスカラ塗布具１００は、マスカラＬを収容した本体筒１と、この本体筒１の後部に回転自在に連結された操作筒２と、本体筒１の先端部に固定された誘導部（誘導部材）３と、この誘導部３を筒孔に収容するようにして当該誘導部３に固定された先筒部（先筒）４と、を具備している。
【００１５】
本体筒１は、円筒状に構成され、筒孔である収容部１ａにマスカラＬを収容する。
【００１６】
操作筒２は、有底円筒状に構成され、マスカラＬを先端側に押し出すための押出機構を内部に収容している。この押出機構は公知の螺合機構及び回り止め機構を備えるもので、使用者が、操作筒２と本体筒１（又は先筒部４）を相対回転すると、螺合機構が働いて、押出機構を構成する移動体が前進し、収容部１ａに充填されたマスカラＬを先端側に押し出す構成とされている。なお、押出機構は、移動体が前進してマスカラＬを先端側に押し出すことができれば、どのような構成であっても良く、例えば、回転式ではなくノック式等であっても良く、また、前進のみならず後退ができるものであっても良い。
【００１７】
図３及び図５に示すように、誘導部３は、後部３ａが円筒状に構成されると共に、これより前側が、当該円筒状の後部３ａより小さい扁平筒状部３ｂとされている。この扁平筒状部３ｂは、横断面（軸線方向に直交する断面）長方形の４角筒形状とされている。また、扁平筒状部３ｂの先端面は、マスカラを塗布しやすいように軸線方向に対して傾斜する先筒部４の先端面と同じ角度で軸線方向に対して傾斜し、この先端面に長方形の開口３ｃが開口されている。
【００１８】
そして、この扁平筒状部３ｂより後側の円筒状の後部３ａが、本体筒１の円筒状の先端部１ｂの筒内に進入し嵌合固定され、誘導部３の内周面（筒孔）によって、押出機構の駆動に従い収容部１ａから押し出されてくるマスカラＬを先端の開口３ｃへ誘導する誘導路３ｄが構成されている。従って、先端面の開口３ｃは、マスカラＬを容器外に流出させ塗布に供するための開口とされ、誘導路３ｄは、真っ直ぐな直線経路とされている。
【００１９】
また、誘導部３は、開口３ｃから流出するマスカラＬを被塗布部となる睫毛に塗布するための塗布体３ｘを備えている。この塗布体３ｘについては、後述する。
【００２０】
先筒部４は、後部４ａが円筒状に構成されると共に、これより前側が扁平筒状部４ｂとされている。この扁平筒状部４ｂの先端面は前述したように誘導部３の先端面の傾斜と同様に軸線方向に対して傾斜し、この先端面に開口４ｃが開口されている。この開口４ｃは、誘導部３の塗布体３ｘを外部に突出させるための開口である。
【００２１】
扁平筒状部４ｂの外面は、扁平を作るように対向する２面の間隔を先端側に行くに従い徐々に狭めていき２平面とする構成とされている。また、図３に示すように、先筒部４の筒孔の形状は、誘導部３の外周面の形状に対応し、すなわち、筒孔の後部が円形とされると共にこれより前側が長方形とされている。従って、開口４ｃの形状は長方形とされている。そして、先筒部４の円筒状の後部４ａが、本体筒１の円筒状の先端部１ｂと誘導部３の円筒状の後部３ａとの間に進入して、後部４ａの後端面が、誘導部３の後端部の円環状の鍔部３ｉに突き当てられることで、後部４ａが誘導部３の後部３ａに嵌合固定されている。
【００２２】
このように、先筒部４内に、誘導部３が進入し当該誘導部３が先筒部４の筒孔内に概ね密着配置された状態とされている。
【００２３】
この先筒部４は、図５及び図６に示すように、マスカラＬを被塗布部となる睫毛に塗布するための塗布体４ｘを一体成形により備えている。この塗布体４ｘは、先端の開口４ｃを外側から跨ぐアーチ形状のアーチ型塗布部を第１アーチ型塗布部４ｅとして、開口４ｃの長手方向に沿って複数個一列に並設して備えるものであり、言い換えれば、この第１アーチ型塗布部４ｅは、平板状の山型の底部を山型の頂点に向かって凹ませた凹状部４ｇが設けられたアーチ形状とされている。
【００２４】
また、塗布体４ｘは、並設された第１アーチ型塗布部４ｅのさらに並設方向の最外側の位置で、開口４ｃより上記並設方向の外側の位置に、マスカラＬが開口４ｃより上記並設方向外側へ流出してしまうことを阻止するための山型形状の山型塗布部４ｆを少なくとも１個以上備えている。
【００２５】
また、前述した誘導部３も、図５に示すように、マスカラＬを被塗布部となる睫毛に塗布するための塗布体３ｘを一体成形により備えている。この塗布体３ｘは、上記塗布体４ｘと同様に、先端の開口３ｃを外側から跨ぐアーチ形状のアーチ型塗布部を第２アーチ型塗布部３ｅとして、開口３ｃの長手方向に沿って複数個一列に並設して備えるものであり、言い換えれば、この第２アーチ型塗布部３ｅは、平板状の山型の底部を山型の頂点に向かって凹ませた凹状部３ｇが設けられたアーチ形状とされている。
【００２６】
また、塗布体３ｘは、上記塗布体４ｘと同様に、並設された第２アーチ型塗布部３ｅのさらに並設方向の最外側の位置で、開口３ｃより上記並設方向の外側の位置に、マスカラＬが開口３ｃより上記並設方向外側へ流出してしまうことを阻止するための山型形状の山型塗布部３ｆを少なくとも１個以上備えている。なお、先筒部４の塗布体４ｘが山型塗布部４ｆを備えている場合には、誘導部３の山型塗布部３ｆはなくても良い。
【００２７】
そして、先筒部４、誘導部３を本体筒１に組み付け、先筒部４内に誘導部３を装着すると、図４に示すように、先筒部４の開口４ｃを通して誘導部３の塗布体３ｘが外部に突出して、先筒部４の両側の山型塗布部４ｆ，４ｆ同士の間に塗布体３ｘが位置し、先筒部４の第1アーチ型塗布部４ｅと誘導部３の第２アーチ型塗布部３ｅが交互に一列に並設された状態となる。
【００２８】
このように、本実施形態のマスカラ塗布具１００にあっては、その先端部に、塗布体３ｘ、４ｘが混在し第1アーチ型塗布部４ｅと誘導部３の第２アーチ型塗布部３ｅが交互に並ぶ塗布体３４ｘを備えた状態とされている。
【００２９】
なお、塗布体３４ｘを保護すべく、図３に示すように、先筒部４及び塗布体３４ｘを覆うキャップ５が、本体筒１の先端部１ｂに着脱可能に装着されている。
【００３０】
因みに、ここでは、先筒部４がＰＰより成形され、誘導部３がポリエチレンより成形されているが、これとは逆に、先筒部４がポリエチレンより成形され、誘導部３がＰＰより成形されていても良く、また、他の材質の組み合わせでも勿論良く、また、同質材同士の組み合わせでも良い。
【００３１】
このようなマスカラ塗布具１００によれば、収容部１ａに充填されたマスカラＬは、使用者の操作（ここでは回転操作）により先端側へ押し出されていき、直線経路を成す誘導部３の誘導路３ｄを通って、先端の開口３ｃに直ちに至り、当該開口３ｃから流出する。
【００３２】
このとき、開口３ｃからのマスカラＬは、隣り合う第１、第２アーチ型塗布部４ｅ，３ｅ同士間に分配されて流出すると共に、凹ませた凹状部４ｇ，３ｇを通して隣のアーチ型塗布部４ｅ，３ｅ同士の間にも流入し（上記並設方向にも流れ）、隣り合うアーチ型塗布部４ｅ，３ｅの頂点４ｈ，３ｈ同士の間（図４参照）、及び、隣り合うアーチ型塗布部４ｅ，３ｅの傾斜面同士の間から良好に流出し、良好に塗布に供される。
【００３３】
因みに、塗布部を単なる山型にすると、隣り合う山型の頂点同士の間からマスカラが流出する前に、隣り合う山型の傾斜面同士の間からマスカラがどんどん流出してしまうが、本実施形態のように、塗布部を山型の底部を凹ませたアーチ形状とすると、この凹ませた凹状部４ｇ，３ｇを通してマスカラＬが隣のアーチ型塗布部４ｅ，３ｅ同士の間にも流入するため、隣り合うアーチ型塗布部４ｅ，３ｅの頂点４ｈ，３ｈ同士の間からもマスカラＬが良好に流出する。
【００３４】
このように、本実施形態においては、先筒部４の筒孔内に、収容部１ａから押し出され後端側の開口から進入してくるマスカラＬを先端側の開口３ｃに誘導する誘導路３ｄを備えた誘導部３が配置され、マスカラＬを睫毛に塗布するための塗布体３４ｘが、先筒部４の先端側の開口４ｃを外側から跨ぎ当該先筒部４の開口４ｃに沿って複数個が並設されたアーチ形状の第1アーチ型塗布部４ｅと、誘導部３の先端側の開口３ｃを外側から跨ぎ当該誘導部３の開口３ｃに沿って複数個が並設されると共に、先筒部４の先端側の開口４ｃを通して外部へ突出するアーチ形状の第２アーチ型塗布部３ｅとされ、これらの第1アーチ型塗布部４ｅと第２アーチ型塗布部３ｅが交互に並設されるため、例えば最小ピッチで形成された第1アーチ型塗布部４ｅ，４ｅ同士の間に、例えば最小ピッチで形成された第２アーチ型塗布部３ｅ，３ｅ同士の一方が位置することになり（他方は隣の第1アーチ型塗布部４ｅ，４ｅ同士の間に位置することになり）、隣接する第１アーチ型塗布部４ｅと第２アーチ型塗布部３ｅのピッチを今以上に小さくすることができる。
【００３５】
また、第１、第２アーチ型塗布部４ｅ，３ｅは、互いに外形形状が異なっており、すなわち、第１アーチ型塗布部４ｅはアーチ形状を構成するＶ字の両脚同士の間隔が広い幅広のアーチ型塗布部とされ、第２アーチ型塗布部３ｅはＶ字の両脚同士の間隔が狭い幅狭のアーチ型塗布部とされ、これらが交互に並べられているため、簡単に睫毛にボリュームを持たせるなどの様々なバリエーションの化粧を使用者の技量に関係なく施すことができるができる。
【００３６】
なお、第1アーチ型塗布部４ｅを有する先筒部４と第２アーチ型塗布部３ｅを有する誘導部３を、互いに異質材より構成し、一方を硬質材、他方を軟質材より構成すると、睫毛の密着感を高めることができる。
【００３７】
また、本実施形態においては、以下の効果もある。すなわち、収容部１ａから押し出されてくるマスカラＬを誘導する誘導路３ｄが真っ直ぐな直線経路とされ、この直線経路上に、マスカラＬを睫毛に塗布すべく外部に流出させるための開口３ｃが開口されているため、略９０°折れ曲がった経路を辿ってからマスカラを外部に流出させる従来技術（特表２００１−５０２５７３号公報）に比して、素早くマスカラＬを塗布できる状態とすることができると共に、このように直線経路上に開口３ｃが開口され、この開口３ｃから流出するマスカラＬを睫毛に塗布するための塗布体３４ｘが、開口４ｃを外側から跨ぎ当該開口４ｃに沿って複数個が並設されたアーチ形状の第１アーチ型塗布部４ｅと、開口３ｃを外側から跨ぎ当該開口３ｃに沿って複数個が並設されたアーチ形状の第２アーチ型塗布部３ｅを備える構成のため、ヘッド内へのマスカラの流入方向に沿って複数のスリットが並設されている同上従来技術に比して、隣り合うアーチ型塗布部４ｅ，３ｅ同士間にマスカラＬがより均等に分配され、マスカラＬを睫毛に片寄りなく塗布できる。
【００３８】
なお、マスカラＬの迅速な流れを考慮すると、誘導路３ｄのマスカラＬの流入口と流出口（誘導路３ｄの後端の開口と先端の開口３ｃ）の形状は相似形が好ましく、同形状がより好ましい。
【００３９】
また、本実施形態においては、塗布体３４ｘは、上記並設方向の最外側の位置に、山型形状の山型塗布部４ｆを有しているため、この山型塗布部４ｆによりマスカラＬの上記並設方向外側への液垂れを防止できると共に、一層素早くマスカラＬを塗布できる状態にすることができる。
【００４０】
なお、キャップ５内に内キャップを設け、内キャップ内の空間を一層少なくして、より乾燥を防止するようにしても良い。
【００４１】
以上、本発明をその実施形態に基づき具体的に説明したが、本発明は上記実施形態に限定されるものではなく、例えば、上記実施形態においては、先筒部４と誘導部３を別々の部品とし、先筒部４内に誘導部３を装着する構成としているが、一次側となる先筒部４又は誘導部３の何れか一方を金型で成形してから、同一金型で二次側となる他方を一次側と一体で成形する所謂２色成形により、先筒部４と誘導部３を一体成形した一体成形品としても良い。この場合、先筒部と誘導部の材質は、異質材でも、同質材でも良い。
【００４２】
また、上記実施形態においては、開口３ｃ，４ｃを長方形としているが、略楕円形状や略長円形状であっても良い。
【００４３】
また、上記実施形態においては、第１アーチ型塗布部４ｅと第２アーチ型塗布部３ｅを１個ずつ交互に並設しているが、例えば、並設方向に沿って一方の塗布部が３個並び、他方の塗布部が２個並び、これを交互に繰り返す並設であっても良い。
【００４４】
また、上記実施形態においては、押出機構によりマスカラを始めとした液状化粧料を押し出す化粧料塗布具について述べているが、使用者の押圧力により押し出すことができるチューブやソフトボトル等のスクイーズタイプに対しても適用可能である。
【００４５】
なお、従来にあっては、マスカラを、上記のような押出機構を有するマスカラ塗布具やスクイーズタイプのマスカラ塗布具に採用すると、硬度が高いため、使用後に塗布部同士間等で固化してしまい押し出すことができなくなってしまっていたが、本実施形態では、固化せずに押し出し可能なマスカラが用いられている。このようなマスカラの具体的な硬度は、本発明者による以下の測定より求められている。すなわち、硬度測定にレオメーターを使用し、アプリケータは球体で径８φとし、針入速度６ｃｍ／分、針入距離１０ｍｍ、測定温度２５°Ｃとして測定をした結果、固化せずに押し出し可能なマスカラは、１〜２００までの硬度のものが好ましく、より好ましくは、１〜１００までの硬度のものであった。因みに、このような硬度の液状化粧料であれば、マスカラ以外を用いても、固化せずに押し出すことができる。
【符号の説明】
【００４６】
１ａ…収容部、３…誘導部、３ｃ…誘導部の先端側の開口、３ｄ…誘導路、３ｅ…第２アーチ型塗布部、３ｘ，４ｘ，３４ｘ…塗布体、４…先筒部、４ｃ…先筒部の先端側の開口、４ｅ…第1アーチ型塗布部、１００…マスカラ塗布具（化粧料塗布具）、Ｌ…マスカラ（液状化粧料）。
【図１】
0005643021.tif 000002
【図２】
0005643021.tif 000003
【図３】
0005643021.tif 000004
【図４】
0005643021.tif 000005
【図５】
0005643021.tif 000006
【図６】
0005643021.tif 000007